(57)【要約】  配信システムは、コンテンツ配信サーバからコンテンツを含む第１のパケットを受信して第１のパケットを転送する複数のパケット転送装置と、携帯端末から送出されたコンテンツ配信サーバへの接続要求を受信して接続要求を含む第２のパケットとして転送する複数の無線制御装置と、複数のパケット転送装置のうちのいずれかと複数の無線制御装置との間で第１のパケットおよび第２のパケットを中継するゲートウェイ装置とを、モバイルネットワークに備え、ゲートウェイ装置は、複数の無線制御装置から出力された第２のパケットを解析し、第２のパケットが所定の条件を満たす場合には複数のパケット転送装置のいずれかに第２のパケットを送出し、それ以外の場合にはモバイルネットワークの外に第２のパケットを送出する。
2011152377.tif 000002
【特許請求の範囲】
【請求項１】
コンテンツ配信サーバからコンテンツを含む第１のパケットを受信し、該第１のパケットを転送する複数のパケット転送装置と、
携帯端末から送出された前記コンテンツ配信サーバへの接続要求を受信し、該接続要求を含む第２のパケットとして転送する複数の無線制御装置と、
前記複数の無線制御装置と、前記複数のパケット転送装置のうちのいずれかとの間で前記第１のパケットおよび前記第２のパケットを中継するゲートウェイ装置とを、モバイルネットワークに備え、
前記ゲートウェイ装置は、前記複数の無線制御装置から出力された前記第２のパケットを解析し、前記第２のパケットが所定の条件を満たす場合には前記複数のパケット転送装置のいずれかに前記第２のパケットを送出し、それ以外の場合には前記モバイルネットワークの外に前記第２のパケットを送出することを特徴とする配信システム。
【請求項２】
前記ゲートウェイ装置は、前記複数の無線制御装置から出力された前記第２のパケットのヘッダ部及びペイロード部の少なくともいずれかを解析し、接続要求先のＩＰアドレス若しくはＵＲＬ、送信元の携帯端末のＩＰアドレス、又は、接続要求内容が所定の条件を満たすか否かを判定することを特徴とする、請求項１に記載の配信システム。
【請求項３】
前記ゲートウェイ装置は、前記所定の条件を満たさない前記第２のパケットをインターネットに送出することを特徴とする、請求項１又は２に記載の配信システム。
【請求項４】
前記複数のパケット転送装置又は前記複数の無線制御装置の少なくともいずれかにそれぞれ接続され、コンテンツを一時的に保持する複数のキャッシュサーバと、
前記複数のキャッシュサーバのそれぞれが保持しているコンテンツを表すコンテンツマップを蓄積するとともに、携帯端末からコンテンツの要求を受けると、該携帯端末の在圏情報に基づいて前記複数のキャッシュサーバの中から該携帯端末に近いキャッシュサーバを抽出するとともに、抽出したキャッシュサーバに対し、該携帯端末から要求されたコンテンツを送信するように指示する配信制御装置と、をさらに備えていることを特徴とする、請求項１ないし３のいずれか１項に記載の配信システム。
【請求項５】
前記配信制御装置は、前記抽出したキャッシュサーバが前記携帯端末から要求されたコンテンツを保持していない場合には、他のキャッシュサーバからコンテンツを取得するように、前記抽出したキャッシュサーバに指示することを特徴とする、請求項４に記載の配信システム。
【請求項６】
前記配信制御装置は、前記抽出したキャッシュサーバ以外のキャッシュサーバも前記携帯端末から要求されたコンテンツを保持していない場合には、前記コンテンツ配信サーバからコンテンツを取得するように、前記抽出したキャッシュサーバに指示することを特徴とする、請求項５に記載の配信システム。
【請求項７】
前記配信制御装置は、前記抽出したキャッシュサーバへ前記携帯端末をリダイレクトさせることを特徴とする、請求項４ないし６のいずれか１項に記載の配信システム。
【請求項８】
前記配信制御装置は、前記抽出したキャッシュサーバのアドレスを前記携帯端末に通知することを特徴とする、請求項４ないし６のいずれか１項に記載の配信システム。
【請求項９】
前記複数のキャッシュサーバは、それぞれ、保持するコンテンツのリストを所定の時間間隔で前記配信制御装置に通知することを特徴とする、請求項４ないし８のいずれか１項に記載の配信システム。
【請求項１０】
前記パケット転送装置は、モバイルパケットネットワークのＳＧＳＮ（Ｓｅｒｖｉｎｇ  Ｇｅｎｅｒａｌ  ｐａｃｋｅｔ  ｒａｄｉｏ  ｓｅｒｖｉｃｅ  Ｓｕｐｐｏｒｔ  Ｎｏｄｅ）装置、ＧＧＳＮ（Ｇａｔｅｗａｙ  Ｇｅｎｅｒａｌ  ｐａｃｋｅｔ  ｒａｄｉｏ  ｓｅｒｖｉｃｅ  Ｓｕｐｐｏｒｔ  Ｎｏｄｅ）装置若しくはｘＧＳＮ（ｓｅｒｖｉｎｇ／ｇａｔｅｗａｙ  Ｇｅｎｅｒａｌ  ｐａｃｋｅｔ  ｒａｄｉｏ  ｓｅｒｖｉｃｅ  Ｓｕｐｐｏｒｔ  Ｎｏｄｅ）装置、又は、モバイルＬＴＥ（Ｌｏｎｇ  Ｔｅｒｍ  Ｅｖｏｌｕｔｉｏｎ）／ＥＰＣ（Ｅｖｏｌｖｅｄ  Ｐａｃｋｅｔ  Ｃｏｒｅ）ネットワークのＳ−ＧＷ（Ｓｅｒｖｉｎｇ  Ｇａｔｅｗａｙ）装置若しくはＰ−ＧＷ（Ｐａｃｋｅｔ  Ｄａｔａ  Ｎｅｔｗｏｒｋ（ＰＤＮ）  Ｇａｔｅｗａｙ）装置であることを特徴とする、請求項１ないし９のいずれか１項に記載の配信システム。
【請求項１１】
前記複数の無線制御装置は、それぞれ、モバイルパケットネットワークの無線ネットワーク制御（ＲＮＣ：Ｒａｄｉｏ  Ｎｅｔｗｏｒｋ  Ｃｏｎｔｒｏｌｌｅｒ）装置、又は、モバイルＬＴＥ／ＥＰＣネットワークのｅＮｏｄｅＢ（ｅｖｏｌｖｅｄ  Ｎｏｄｅ  Ｂ）装置であることを特徴とする、請求項１０に記載の配信システム。
【請求項１２】
前記コンテンツは、動画、静止画、音声、オーディオ、ソフトウェア、アプリケーションのうちの少なくともいずれかを含むことを特徴とする、請求項１ないし１１のいずれか１項に記載の配信システム。
【請求項１３】
前記携帯端末は、携帯電話、スマートフォン、通信カードを搭載したＰＣ、ゲーム機の少なくともいずれかであることを特徴とする、請求項１ないし１２のいずれか１項に記載の配信システム。
【請求項１４】
モバイルネットワークに設けられた複数の無線制御装置であって携帯端末から送出された該コンテンツ配信サーバへの接続要求を受信して該接続要求を含む第２のパケットとして転送する複数の無線制御装置と、コンテンツ配信サーバからコンテンツを含む第１のパケットを受信して該第１のパケットを転送する複数のパケット転送装置のうちのいずれかとの間でパケットを中継するとともに、該複数の無線制御装置から出力された該第２のパケットを解析し、該第２のパケットが所定の条件を満たす場合には該複数のパケット転送装置のいずれかに該第２のパケットを送出し、それ以外の場合には該モバイルネットワークの外に該第２のパケットを送出することを特徴とするゲートウェイ装置。
【請求項１５】
前記複数の無線制御装置から出力された前記第２のパケットのヘッダ部及びペイロード部の少なくともいずれかを解析し、接続要求先のＩＰアドレス若しくはＵＲＬ、送信元の携帯端末のＩＰアドレス、又は、接続要求内容が所定の条件を満たすか否かを判定することを特徴とする、請求項１４に記載のゲートウェイ装置。
【請求項１６】
前記所定の条件を満たさない前記第２のパケットをインターネットに送出することを特徴とする、請求項１４又は１５に記載のゲートウェイ装置。
【請求項１７】
モバイルネットワークに設けられた複数の無線制御装置であって携帯端末から送出された該コンテンツ配信サーバへの接続要求を受信して該接続要求を含む第２のパケットとして転送する複数の無線制御装置と、コンテンツ配信サーバからコンテンツを含む第１のパケットを受信して該第１のパケットを転送する複数のパケット転送装置のうちのいずれかとの間でパケットを中継するゲートウェイ装置が、該複数の無線制御装置から出力された該第２のパケットを解析する工程と、
前記第２のパケットが所定の条件を満たす場合には前記複数のパケット転送装置のいずれかに前記第２のパケットを送出し、それ以外の場合には前記モバイルネットワークの外に前記第２のパケットを送出する工程と、を含むことを特徴とする配信方法。
【請求項１８】
前記解析工程において、前記複数の無線制御装置から出力された前記第２のパケットのヘッダ部及びペイロード部の少なくともいずれかを解析し、接続要求先のＩＰアドレス若しくはＵＲＬ、送信元の携帯端末のＩＰアドレス、又は、接続要求内容が所定の条件を満たすか否かを判定することを特徴とする、請求項１７に記載の配信方法。
【請求項１９】
前記送出工程において、前記所定の条件を満たさない前記第２のパケットをインターネットに送出することを特徴とする、請求項１７又は１８に記載の配信方法。
【発明の詳細な説明】
【技術分野】
【０００１】
（関連出願についての記載）
本発明は、日本国特許出願：特願２０１０−１２５５５９号（２０１０年６月１日出願）の優先権主張に基づくものであり、同出願の全記載内容は引用をもって本書に組み込み記載されているものとする。【０００２】
本発明は、配信システム、ゲートウェイ装置及び配信方法に関し、特に、モバイルネットワークを介して、携帯電話、ＰＣ、ゲーム機等の携帯端末に対し、動画、静止画、オーディオ、ソフトウェア、アプリケーション等のコンテンツを配信する配信システム、ゲートウェイ装置及び配信方法に関する。
【背景技術】
【０００３】
モバイルネットワークの高速化・大容量化の進展に伴い、モバイルネットワークを介して携帯端末にコンテンツを配信するコンテンツ配信が普及しつつある。【０００４】
ＬＴＥ（Ｌｏｎｇ  Ｔｅｒｍ  Ｅｖｏｌｕｔｉｏｎ）やＥＰＣ（Ｅｖｏｌｖｅｄ  Ｐａｃｋｅｔ  Ｃｏｒｅ）技術等により、モバイルネットワークは、今後、さらに高速化・大容量化されていく予定である。【０００５】
特許文献１において、エッジサーバを使用したコンテンツ配信システムが記載されている。
【先行技術文献】
【特許文献】
【０００６】
【特許文献１】特表２００８−５１２８８０号公報
【発明の概要】
【発明が解決しようとする課題】
【０００７】
上記の特許文献の各開示を、本書に引用をもって繰り込むものとする。以下の分析は、本発明者によってなされたものである。【０００８】
２０１３年におけるデータ系のトラヒック量は、現在のトラヒック量の８〜１０倍に増大し、トラヒックの大部分をコンテンツデータが占めると予想されている。携帯端末能力の進展に伴い、例えば、コンテンツデータに含まれる映像コンテンツはますます大容量化している。したがって、モバイルネットワークにおいても、近い将来に、ハイビジョン解像度による大容量の映像コンテンツが流通することが予想される。【０００９】
従来のモバイルネットワークでは、コンテンツの配信を行う場合に、すべての携帯端末からのパケットがモバイルネットワーク上のパケット転送装置を介してコンテンツ配信サーバに伝えられている。また、コンテンツ配信サーバは、パケット転送装置を介して、すべての携帯端末にコンテンツパケットを配信している。しかしながら、このようなコンテンツ配信方法によると、以下の問題が生じる。【００１０】
第１に、パケットの属性に関係なく、すべてのパケットがモバイルネットワークを流れるため、大容量コンテンツを大量に流すとネットワークが輻輳しやすくなる。【００１１】
第２に、携帯端末とコンテンツ配信サーバとの距離が長いため、携帯端末にコンテンツが到着するまでに時間を要し、携帯端末で要求を出してからコンテンツを再生するまでの遅延時間が長くなり、エンドユーザが感じるＱｏＥ（Ｑｕａｌｉｔｙ  ｏｆ  Ｅｘｐｅｒｉｅｎｃｅ）が低下する。【００１２】
第３に、携帯端末の台数が増大し、コンテンツが大容量となることで、トラヒック量が増大してくると、コンテンツ配信サーバの配信能力とパケット転送装置の転送能力がボトルネックとなる。その結果として、ネットワーク内のトラヒックが輻輳し、遅延やパケットロスが発生し、携帯端末側で画像がフリーズし、音声が途切れるといった問題が生じる。【００１３】
第４に、これらのボトルネックを解消するためには、携帯端末の台数の増加及びトラヒック量の増加を見越して、これらの設備を常時増強し続ける必要がある。【００１４】
また、特許文献１に記載されたコンテンツ配信システムによると、移動局が必要とするコンテンツがエッジサーバに蓄積されていない場合に、移動局にコンテンツが到着するまでの時間が増大し、移動局のユーザが感じるＱｏＥが低下するという問題がある。【００１５】
そこで、モバイルネットワークにおいて大容量コンテンツを大量に流した場合に、ネットワークの輻輳を回避することが課題となる。本発明の目的は、かかる課題を解決する配信システム、ゲートウェイ装置及び配信方法を提供することにある。
【課題を解決するための手段】
【００１６】
本発明の第１の視点に係る配信システムは、
コンテンツ配信サーバからコンテンツを含む第１のパケットを受信し、該第１のパケットを転送する複数のパケット転送装置と、
携帯端末から送出された前記コンテンツ配信サーバへの接続要求を受信し、該接続要求を含む第２のパケットとして転送する複数の無線制御装置と、
前記複数の無線制御装置と、前記複数のパケット転送装置のうちのいずれかとの間で前記第１のパケットおよび前記第２のパケットを中継するゲートウェイ装置とを、モバイルネットワークに備え、
前記ゲートウェイ装置は、前記複数の無線制御装置から出力された前記第２のパケットを解析し、前記第２のパケットが所定の条件を満たす場合には前記複数のパケット転送装置のいずれかに前記第２のパケットを送出し、それ以外の場合にはモバイルネットワークの外に前記第２のパケットを送出する。【００１７】
本発明の第２の視点に係るゲートウェイ装置は、モバイルネットワークに設けられた複数の無線制御装置であって携帯端末から送出された該コンテンツ配信サーバへの接続要求を受信して該接続要求を含む第２のパケットとして転送する複数の無線制御装置と、コンテンツ配信サーバからコンテンツを含む第１のパケットを受信して該第１のパケットを転送する複数のパケット転送装置のうちのいずれかとの間でパケットを中継するとともに、複数の無線制御装置から出力された該第２のパケットを解析し、該第２のパケットが所定の条件を満たす場合には前記複数のパケット転送装置のいずれかに該第２のパケットを送出し、それ以外の場合にはモバイルネットワークの外に該第２のパケットを送出する。【００１８】
本発明の第３の視点に係る配信方法は、
モバイルネットワークに設けられた複数の無線制御装置であって携帯端末から送出された該コンテンツ配信サーバへの接続要求を受信して該接続要求を含む第２のパケットとして転送する複数の無線制御装置と、コンテンツ配信サーバからコンテンツを含む第１のパケットを受信して該第１のパケットを転送する複数のパケット転送装置のうちのいずれかとの間でパケットを中継するゲートウェイ装置が、複数の無線制御装置から出力された該第２のパケットを解析する工程と、
前記第２のパケットが所定の条件を満たす場合には前記複数のパケット転送装置のいずれかに前記第２のパケットを送出し、それ以外の場合にはモバイルネットワークの外に前記第２のパケットを送出する工程と、を含む。
【発明の効果】
【００１９】
本発明に係る配信システム、ゲートウェイ装置及び配信方法によると、モバイルネットワークにおいて大容量コンテンツを大量に流した場合に、ネットワークの輻輳を回避することができる。
【図面の簡単な説明】
【００２０】
【図１】第１の実施形態に係る配信システムの接続構成を示す図である。
【図２】第２の実施形態に係る配信システムの接続構成を示す図である。
【図３】キャッシュサーバの構成を示すブロック図である。
【図４】配信制御装置の構成を示すブロック図である。
【図５】第３の実施形態に係る配信システムの接続構成を示す図である。
【発明を実施するための形態】
【００２１】
第１の展開形態によると、上記第１の視点に係る配信システムが提供される。
【００２２】
第２の展開形態によると、ゲートウェイ装置は、複数の無線制御装置から出力された前記第２のパケットのヘッダ部及びペイロード部の少なくともいずれかを解析し、接続要求先のＩＰアドレス若しくはＵＲＬ、送信元の携帯端末のＩＰアドレス、又は、接続要求内容が所定の条件を満たすか否かを判定する、配信システムが提供される。
【００２３】
第３の展開形態によると、ゲートウェイ装置は、所定の条件を満たさない前記第２のパケットをインターネットに送出する、配信システムが提供される。
【００２４】
第４の展開形態によると、複数のパケット転送装置又は複数の無線制御装置の少なくともいずれかにそれぞれ接続され、コンテンツを一時的に保持する複数のキャッシュサーバと、
複数のキャッシュサーバのそれぞれが保持しているコンテンツを表すコンテンツマップを蓄積するとともに、携帯端末からコンテンツの要求を受けると、該携帯端末の在圏情報に基づいて複数のキャッシュサーバの中から携帯端末に近いキャッシュサーバを抽出するとともに、抽出したキャッシュサーバに対し、携帯端末から要求されたコンテンツを送信するように指示する配信制御装置と、をさらに備えている、配信システムが提供される。
【００２５】
第５の展開形態によると、配信制御装置は、抽出したキャッシュサーバが携帯端末から要求されたコンテンツを保持していない場合には、他のキャッシュサーバからコンテンツを取得するように、抽出したキャッシュサーバに指示する、配信システムが提供される。
【００２６】
第６の展開形態によると、配信制御装置は、抽出したキャッシュサーバ以外のキャッシュサーバも携帯端末から要求されたコンテンツを保持していない場合には、コンテンツ配信サーバからコンテンツを取得するように、抽出したキャッシュサーバに指示する、配信システムが提供される。
【００２７】
第７の展開形態によると、上記第２の視点に係るゲートウェイ装置が提供される。
【００２８】
第８の展開形態によると、複数の無線制御装置から出力された第２のパケットのヘッダ部及びペイロード部の少なくともいずれかを解析し、接続要求先のＩＰアドレス若しくはＵＲＬ、送信元の携帯端末のＩＰアドレス、又は、接続要求内容が所定の条件を満たすか否かを判定する、ゲートウェイ装置が提供される。
【００２９】
第９の展開形態によると、所定の条件を満たさない第２のパケットをインターネットに送出する、ゲートウェイ装置が提供される。
【００３０】
第１０の展開形態によると、上記第３の視点に係る配信方法が提供される。
【００３１】
本発明に係る配信システム、ゲートウェイ装置及び配信方法によると、モバイルネットワークにおいて大容量コンテンツを大量に流した場合に、ネットワークの輻輳を回避することができる。
【００３２】
また、キャッシュサーバを設けることにより、携帯端末とコンテンツ配信サーバとの距離を短縮することで、携帯端末にコンテンツが到着するまでの時間を削減し、携帯端末で要求を出してからコンテンツを再生するまでの遅延時間を短くすることができる。したがって、モバイルネットワークにおいて大容量コンテンツを大量に流した場合においても、エンドユーザが感じるＱｏＥ（Ｑｕａｌｉｔｙ  ｏｆ  Ｅｘｐｅｒｉｅｎｃｅ）の低下を防ぐことができる。
【００３３】
さらに、ゲートウェイ装置、及び／又は、キャッシュサーバを設けることにより、携帯端末の台数が増大し、コンテンツが大容量となることで、トラヒック量が増大した場合において、コンテンツ配信サーバの配信能力とパケット転送装置の転送能力がボトルネックとなることを回避することができる。したがって、ネットワーク内のトラヒックが輻輳し、遅延やパケットロスが発生し、携帯端末側で画像がフリーズし、音声が途切れるといった問題を解消することができる。
【００３４】
また、本発明によると、コンテンツ配信サーバ及びパケット転送装置がボトルネックとなることを解消するために、携帯端末の台数の増加及びトラヒック量の増加を見越して、これらの装置を常時増強し続ける必要もなくなる。
【００３５】
図１〜図５を参照して、実施形態に係る配信システムの構成と動作について詳細に説明する。
【００３６】
なお、以下の実施形態では、一例として、コンテンツが動画像である場合について説明する。なお、コンテンツが静止画、オーディオ、音声、ソフトウェア、アプリケーションである場合においても、同一の構成を採用することができる。
【００３７】
（実施形態１）
第１の実施形態に係る配信システムについて、図面を参照して説明する。図１は、本実施形態に係る配信システムの接続構成を示す。
【００３８】
図１を参照すると、配信システムは、パケット転送装置９０＿１〜９０＿Ｎと、無線制御装置１９１＿１〜１９１＿Ｌ、…、１９３＿１〜１９３＿Ｌと、ゲートウェイ装置１７５＿１〜１７５＿Ｎとを、モバイルネットワーク上に備えている。
【００３９】
パケット転送装置９０＿１〜９０＿Ｎは、コンテンツ配信サーバ１２０から受信したパケットを転送する。
【００４０】
ゲートウェイ装置１７５＿１〜１７５＿Ｎは、複数の無線制御装置１９１＿１〜１９１＿Ｌ、…、１９３＿１〜１９３＿Ｌから出力されたパケットを解析し、解析したパケットが所定の条件を満たす場合には複数のパケット転送装置９０＿１〜９０＿Ｎのいずれかに解析したパケットを送出し、それ以外の場合にはモバイルネットワークの外に解析したパケットを送出する。
【００４１】
ゲートウェイ装置１７５＿１〜１７５＿Ｎは、複数の無線制御装置１９１＿１〜１９１＿Ｌ、…、１９３＿１〜１９３＿Ｌから出力されたパケットのヘッダ部及びペイロード部の少なくともいずれかを解析し、接続要求先のＩＰアドレス若しくはＵＲＬ、送信元の携帯端末のＩＰアドレス、又は、接続要求内容が所定の条件を満たすか否かを判定するようにしてもよい。
【００４２】
また、ゲートウェイ装置１７５＿１〜１７５＿Ｎは、所定の条件を満たさないパケットをインターネットに送出するようにしてもよい。
【００４３】
本実施形態に係る配信システムによると、モバイルネットワークにおいて大容量コンテンツを大量に流した場合に、ネットワークの輻輳を回避することができる。
【００４４】
また、ゲートウェイ装置１７５＿１〜１７５＿Ｎを設けることにより、携帯端末の台数が増大し、コンテンツが大容量となることで、トラヒック量が増大した場合において、コンテンツ配信サーバ１２０の配信能力とパケット転送装置９０＿１〜９０＿Ｎの転送能力がボトルネックとなることを回避することができる。したがって、ネットワーク内のトラヒックが輻輳し、遅延やパケットロスが発生し、携帯端末側で画像がフリーズし、音声が途切れるといった問題を解消することができる。
【００４５】
また、本実施形態によると、コンテンツ配信サーバ１２０及びパケット転送装置９０＿１〜９０＿Ｎがボトルネックとなることを解消するために、携帯端末の台数の増加及びトラヒック量の増加を見越して、これらの装置を常時増強し続ける必要もなくなる。
【００４６】
（実施形態２）
第２の実施形態に係る配信システムについて、図２〜図４を参照して説明する。図２は、本実施形態に係る配信システムの接続構成を示す。
【００４７】
図２は、ネットワークとして３Ｇモバイルパケットネットワーク１５０を用い、パケット転送装置としてｘＧＳＮ装置を用い、無線制御装置として無線ネットワーク制御（ＲＮＣ：Ｒａｄｉｏ  Ｎｅｔｗｏｒｋ  Ｃｏｎｔｒｏｌｌｅｒ）装置を用いる場合の構成を示す。
【００４８】
ここで、ｘＧＳＮ装置とは、ＧＰＲＳ（Ｇｅｎｅｒａｌ  Ｐａｃｋｅｔ  Ｒａｄｉｏ  Ｓｅｒｖｉｃｅ）におけるＳＧＳＮ（Ｓｅｒｖｉｎｇ  ＧＰＲＳ  Ｓｕｐｐｏｒｔ  Ｎｏｄｅ）装置とＧＧＳＮ（Ｇａｔｅｗａｙ  ＧＰＲＳ  Ｓｕｐｐｏｒｔ  Ｎｏｄｅ）装置とを同一箇所に設けた装置をいう。
【００４９】
図２において、コンテンツ配信サーバ１２０は、コンテンツとして、動画像、静止画、オーディオ、音声、アプリケーション、ソフトウェアのうちの少なくとも一つを含むコンテンツの圧縮符号化ビットストリーム又は圧縮符号化ビットストリームを格納したファイルを、予めコンテンツ１００として蓄積している。
【００５０】
モバイルパケットネットワーク１５０上には、Ｎ台（Ｎ≧２）のｘＧＳＮ装置１９０＿１〜１９０＿Ｎが設けられている。ｘＧＳＮ装置１９０＿１には、無線ネットワーク制御装置（ＲＮＣ（Ｒａｄｉｏ  Ｎｅｔｗｏｒｋ  Ｃｏｎｔｒｏｌｌｅｒ）ないしＲＮＣ装置）１９５＿１〜１９５＿Ｌ（Ｌ≧２）が接続されている。また、ｘＧＳＮ装置１９０＿Ｎには、ＲＮＣ装置１９７＿１〜１９７＿Ｌが接続されている。なお、ｘＧＳＮ装置１９０＿２にも、ＲＮＣ装置がＬ台接続されている（非図示）。
【００５１】
さらに、ＲＮＣ装置１台につき、Ｍ台（Ｍ≧２）の基地局装置が接続されている。例えば、ＲＮＣ装置１９５＿１には、Ｍ台の基地局装置１８０＿１〜１８０＿Ｍが接続されている。
【００５２】
ｘＧＳＮ装置とＲＮＣ装置の間には、ゲートウェイ装置が接続されている。例えば、ｘＧＳＮ装置１９０＿１とＲＮＣ装置１９５＿１の間には、ゲートウェイ装置１７５＿１が接続されている。
【００５３】
各ｘＧＳＮ装置には、キャッシュサーバが接続されている。例えば、ｘＧＳＮ装置１９０＿１には、キャッシュサーバ１１０＿１が接続されている。
【００５４】
さらに、Ｎ台のキャッシュサーバ１１０＿１〜１１０＿Ｎは、互いに接続されている。Ｎ台のキャッシュサーバ１１０＿１〜１１０＿Ｎに対して、配信制御装置１６０が接続されている。
【００５５】
携帯端末１７０は、コンテンツ配信サーバ１２０のＩＰアドレスを記載して配信の接続要求メッセージを送出する。
【００５６】
携帯端末１７０が在圏している基地局装置は、接続要求メッセージを受信し、基地局装置を管理しているＲＮＣ装置に接続要求メッセージを送信する。図２に示した場合には、基地局装置１８１＿１〜１８１＿Ｍのいずれかが接続要求メッセージを受信して、ＲＮＣ装置１９５＿Ｌに送信する。
【００５７】
ＲＮＣ装置１９５−Ｌは、接続要求メッセージを基地局装置から受信し、ＧＴＰ−Ｕ（ＧＰＲＳ  Ｔｒａｎｓｆｅｒ  Ｐｒｏｔｏｃｏｌ−Ｕ−ｐｌａｎｅ）プロトコルのペイロード部分に接続要求メッセージとコンテンツ配信サーバのＩＰアドレス、携帯端末１７０のＩＰアドレスを格納し、ＲＮＣ装置１９５＿１〜１９５＿ＬをとりまとめているｘＧＳＮ装置１９０＿１に対し、ＧＴＰ−Ｕパケットを転送する。
【００５８】
ゲートウェイ装置１７５＿１は、ＲＮＣ装置１９５＿１〜１９５＿Ｌから出力されたＧＴＰ−Ｕパケットについて、ヘッダ部及びペイロード部の少なくとも一方を解析し、所定の条件を満たすパケットのみをｘＧＳＮ装置１９０＿１に送出し、それ以外のパケットを外部ネットワークに送出する。図２に示した場合には、ゲートウェイ装置１７５＿１は、所定の条件を満たしていないパケットをインターネットに送出する。
【００５９】
ゲートウェイ装置１７５＿１は、一例として、接続要求先のＩＰアドレスやＵＲＬ、携帯端末１７０のＩＰアドレス、接続要求内容等のパラメータのうちの少なくとも一つのパラメータが所定の条件を満たすか否かを判別する。
【００６０】
ここでは、ゲートウェイ装置１７５＿１は、接続要求先のＩＰアドレスが特定のＩＰアドレスを満たす場合には、ｘＧＳＮ装置１９０＿１にパケットを出力し、それ以外の場合にはインターネットにパケットを出力する。
【００６１】
なお、ゲートウェイ装置１７５＿２〜１７５＿Ｎの動作は、ゲートウェイ装置１７５＿１の動作と同様であることから、説明を省略する。
【００６２】
図３は、キャッシュサーバの構成を示すブロック図である。図３を参照して、キャッシュサーバの構成について説明する。ここでは、一例として、ｘＧＳＮ装置１９０＿１に接続されたキャッシュサーバ１１０＿１の構成について説明する。
【００６３】
なお、キャッシュサーバ１１０＿２〜１１０＿Ｎの構成は、キャッシュサーバ１１０＿１の構成と同一であることから、説明を省略する。
【００６４】
図３を参照すると、キャッシュサーバ１１０＿１は、制御信号送受信部１１１、コンテンツ取得部１１２、コンテンツ一時蓄積部１１３、解析部１１５、及びコンテンツリスト作成部１１６を備えている。
【００６５】
制御信号送受信部１１１は、携帯端末１７０からの接続要求メッセージとＩＰアドレス等を格納したＧＴＰ−Ｕパケットと、携帯端末１７０のロケーション情報とを、ｘＧＳＮ装置１９０＿１から受信し、解析部１１５に出力する。
【００６６】
解析部１１５は、ＧＴＰ−Ｕパケットのペイロード部分に格納された接続要求メッセージの内容を読み出し、携帯端末１７０の受信ＩＰアドレスと要求されたコンテンツ等の情報を、制御信号送受信部１１１を介して配信制御装置１６０に出力する。また、解析部１１５は、携帯端末１７０のロケーション情報を配信制御装置１６０に送信する。
【００６７】
コンテンツ一時蓄積部１１３は、他のキャッシュサーバ又はコンテンツ配信サーバ１２０から取得したコンテンツを一時的に蓄積する。
【００６８】
コンテンツリスト作成部１１６は、所定の時間間隔毎に、コンテンツ一時蓄積部１１３に蓄積されているすべてのコンテンツに関するコンテンツリストを作成する。また、コンテンツリスト作成部１１６は、所定の時間間隔毎に、制御信号送受信部１１１を介して配信制御装置１６０に、作成したコンテンツリストを送信する。
【００６９】
コンテンツ取得部１１２は、制御信号送受信部１１１を経由して受信した、配信制御装置１６０から送出されたコンテンツ確保通知に従い、指定されたコンテンツを他のキャッシュサーバ又はコンテンツ配信サーバ１２０から読み出し、コンテンツ一時蓄積部１１３に出力する。
【００７０】
コンテンツ一時蓄積部１１３は、コンテンツ取得部１１２から出力されたコンテンツを蓄積する。
【００７１】
図４は、配信制御装置の構成を示すブロック図である。図４を参照して、配信制御装置１６０の構成について説明する。図４を参照すると、配信制御装置１６０は、制御信号送受信部１６１、コンテンツマップ作成・蓄積部１６７、及びコンテンツ取得指示部１６８を備えている。
【００７２】
制御信号送受信部１６１は、キャッシュサーバ１１０＿１〜１１０＿Ｎの各々と接続されており、これらのキャッシュサーバ１１０＿１〜１１０＿Ｎとやり取りを行なう。ここでは、一例として、配信制御装置１６０とキャッシュサーバ１１０＿１との間のやり取りについて説明する。なお、配信制御装置１６０とキャッシュサーバ１１０＿２〜１１０＿Ｎとのやり取りについては、配信制御装置１６０とキャッシュサーバ１１０＿１とのやり取りと同様であるため、説明を省略する。
【００７３】
制御信号送受信部１６１は、キャッシュサーバ１１０＿１から、携帯端末１７０の受信ＩＰアドレス、コンテンツ配信サーバ１２０のＩＰアドレス、要求されたコンテンツの情報、携帯端末１７０のロケーション情報等を受信し、コンテンツ取得指示部１６８に出力する。また、制御信号送受信部１６１は、所定の時間間隔毎に、キャッシュサーバ１１０＿１からコンテンツリストを受信し、コンテンツマップ作成・蓄積部１６７に出力する。
【００７４】
コンテンツマップ作成・蓄積部１６７は、所定の時間間隔毎に、キャッシュサーバ１１０＿１〜１１０＿Ｎの各々からコンテンツリストを受信し、いずれのキャッシュサーバにいかなるコンテンツが一時蓄積されているかを表すコンテンツマップを作成し、作成したコンテンツマップを蓄積する。
【００７５】
コンテンツ取得指示部１６８は、携帯端末１７０の受信ＩＰアドレスと要求されたコンテンツ情報と携帯端末１７０のロケーション情報とから、携帯端末１７０に物理的に近いキャッシュサーバを抽出する。また、コンテンツ取得指示部１６８は、制御信号送受信部１６１を介するとともにキャッシュサーバ及びｘＧＳＮ装置を経由して、携帯端末１７０に対し、抽出したキャッシュサーバにリダイレクトさせる指示を出す。
【００７６】
さらに、コンテンツ取得指示部１６８は、コンテンツマップ作成・蓄積部１６７からコンテンツマップを読み出し、携帯端末１７０が要求したコンテンツを抽出したキャッシュサーバが一時蓄積しているか否かを判別する。
【００７７】
携帯端末１７０が要求したコンテンツを、抽出したキャッシュサーバが蓄積している場合には、コンテンツ取得指示部１６８は、抽出したキャッシュサーバへの通知を行なわない。
【００７８】
一方、携帯端末１７０が要求したコンテンツを、抽出したキャッシュサーバが蓄積していない場合には、コンテンツ取得指示部１６８は、抽出したキャッシュサーバ以外の他のキャッシュサーバのうちのいずれのキャッシュサーバが、携帯端末１７０が要求したコンテンツを蓄積しているかを、コンテンツマップから判別し、抽出したキャッシュサーバに対し、制御信号送受信部１６１を介して、コンテンツ確保指示を出力する。
【００７９】
コンテンツ確保指示は、要求されたコンテンツを蓄積しているキャッシュサーバのＩＰアドレスの通知と、要求されたコンテンツを確保する指示とを含む。
【００８０】
なお、要求されたコンテンツが他のいずれのキャッシュサーバにも蓄積されていない場合には、コンテンツ確保指示において、キャッシュサーバのＩＰアドレスの代わりにコンテンツ配信サーバ１２０のＩＰアドレスを通知し、コンテンツ配信サーバ１２０からコンテンツを確保するようにする。
【００８１】
図２では、一つのｘＧＳＮ装置に対して一つのキャッシュサーバを接続する場合の構成を示した。一方、複数のｘＧＳＮ装置に対して一つのキャッシュサーバを接続する構成を採用することもできる。
【００８２】
さらに、図２では、ＳＧＳＮ装置とＧＧＳＮ装置を一体化したｘＧＳＮ装置を用いる構成とした。一方、ＳＧＳＮ装置とＧＧＳＮ装置を分離した構成を採用することもできる。かかる構成を採用した場合には、ＳＧＳＮ装置又はＧＧＳＮ装置のいずれかにキャッシュサーバを接続する構成を採用することができる。また、ＳＧＳＮ装置とＧＧＳＮ装置を分離した構成を採用した場合には、ゲートウェイ装置１７５＿１〜１７５＿ＮをＳＧＳＮ装置とＧＧＳＮ装置との間に挿入する構成としてもよい。
【００８３】
また、携帯端末１７０は、携帯電話でもよいし、スマートフォンでもよいし、ＰＣにデータ通信カードを搭載したものであってもよい。さらに、携帯端末１７０は、モバイル３Ｇ網やモバイル３．９Ｇ網と通信ができる携帯端末であればよい。
【００８４】
（実施形態３）
第３の実施形態に係る配信システムについて、図面を参照して説明する。図５は、本実施形態の配信システムの接続構成を示す図である。
【００８５】
図５において、図２の構成要素と同一の符号が付された構成要素の動作は、図２において同一の符号が付された構成要素の動作と同一であることから、説明を省略する。
【００８６】
図５は、モバイルネットワークとして、３Ｇモバイルネットワークではなく、３．９世代のモバイルネットワークであるＬＴＥ（Ｌｏｎｇ  Ｔｅｒｍ  Ｅｖｏｌｕｔｉｏｎ）／ＥＰＣ（Ｅｖｏｌｖｅｄ  Ｐａｃｋｅｔ  Ｃｏｒｅ）ネットワーク２５０を使用した場合の構成を示す。ＬＴＥでは、基地局装置の機能とＲＮＣ装置の機能とが縮退し、ｅＮｏｄｅＢ（ｅｖｏｌｖｅｄ  Ｎｏｄｅ  Ｂ）装置のみとなる。
【００８７】
また、ＥＰＣではＳ／Ｐ−ＧＷ（Ｓｅｒｖｉｎｇ／Ｐａｃｋｅｔ  Ｄａｔａ−ＧａｔｅＷａｙ）装置がｅＮｏｄｅＢ装置に接続される。ここで、Ｓ／Ｐ−ＧＷ装置とは、Ｓ−ＧＷ装置とＰ−ＧＷ装置とが一体化された装置をいう。
【００８８】
また、図５は、一例として、Ｍ台のｅＮｏｄｅＢ装置が１台のＳ／Ｐ−ＧＷ装置に接続される構成を示す。例えば、Ｓ／Ｐ−ＧＷ装置２９０＿１には、ｅＮｏｄｅＢ装置２６０＿１〜２６０＿Ｍが接続されている。
【００８９】
ゲートウェイ装置１７５＿１〜１７５＿Ｎは、それぞれ、ｅＮｏｄｅＢ装置とＳ／Ｐ−ＧＷ装置との間に挿入される。
【００９０】
例えば、ゲートウェイ装置１７５＿１は、Ｓ／Ｐ−ＧＷ装置２９０＿１に接続され、ｅ−ＮｏｄｅＢ装置２６０＿１〜２６０＿Ｍの各々から送出されるＧＴＰ−Ｕパケットに対し、ヘッダ部及びペイロード部の少なくとも一方を解析し、所定の条件を満たすパケットのみをＳ／Ｐ−ＧＷ装置２９０＿１に送出し、それ以外のパケットを外部ネットワークに送出する。図５に示した場合には、ゲートウェイ装置１７５＿１は、所定の条件を満たさないパケットをインターネットに送出する。
【００９１】
ゲートウェイ装置１７５＿１は、一例として、接続要求先のＩＰアドレスやＵＲＬ、携帯端末１７０のＩＰアドレス、接続要求内容等のパラメータのうちの少なくとも一つのパラメータが所定の条件を満たすか否かを判別する。
【００９２】
ここでは、ゲートウェイ装置１７５＿１は、接続要求先のＩＰアドレスが特定のＩＰアドレスを満たす場合には、Ｓ／Ｐ−ＧＷ装置２９０＿１にパケットを出力し、それ以外の場合にはインターネットにパケットを出力する。
【００９３】
各Ｓ／Ｐ−ＧＷ装置に対しキャッシュサーバが接続されている。例えば、Ｓ／Ｐ−ＧＷ装置２９０＿１には、キャッシュサーバ１１０＿１が接続されている。
【００９４】
携帯端末１７０は、コンテンツ配信サーバ１２０のＩＰアドレスを記載して配信の接続要求メッセージを送出する。
【００９５】
携帯電話１７０が在圏しているｅＮｏｄｅＢ装置（図５に示した場合には、ｅＮｏｄｅＢ装置２６１＿１〜２６１＿Ｍのいずれか）は、接続要求メッセージを受信する。接続要求メッセージを受信したｅＮｏｄｅＢ装置は、ＧＴＰ−Ｕプロトコルのペイロード部分に接続要求メッセージ、コンテンツ配信サーバのＩＰアドレス、携帯端末１７０のＩＰアドレスを格納し、Ｓ／Ｐ−ＧＷ装置２９０＿２に対し、ＧＴＰ−Ｕパケットを転送する。
【００９６】
キャッシュサーバ１１０＿１は、図３に示したキャッシュサーバと同一の構成を備えている。なお、本実施形態では、制御信号送受信部１１１の接続先がＳ／Ｐ−ＧＷ装置２９０＿１となる。すなわち、キャッシュサーバ１１０＿１は、携帯端末１７０からの接続要求メッセージとＩＰアドレス等を格納したＧＴＰ−Ｕパケットと、携帯端末１７０のロケーション情報とをＳ／Ｐ−ＧＷ装置２９０＿１から受信する。
【００９７】
なお、他のキャッシュサーバ１１０＿２〜１１０＿Ｎでも、それぞれに接続されたＳ／Ｐ−ＧＷ装置と上記のやり取りを行う。
【００９８】
コンテンツ配信サーバ１２０は、Ｓ／Ｐ−ＧＷ装置２９０＿１〜２９０＿Ｎに接続される。
【００９９】
図５では、一つのＳ／Ｐ−ＧＷ装置に対して一つのキャッシュサーバを接続する場合の構成を示した。一方、複数のＳ／Ｐ−ＧＷ装置に対して一つのキャッシュサーバを接続する構成を採用することもできる。
【０１００】
さらに、図５では、Ｓ−ＧＷ装置とＰ−ＧＷ装置を一体化したＳ／Ｐ−ＧＷ装置を用いる構成とした。一方、Ｓ−ＧＷ装置とＰ−ＧＷ装置とを分離した構成を採用することもできる。かかる構成を採用した場合には、Ｓ−ＧＷ装置又はＰ−ＧＷ装置のいずれかにキャッシュサーバを接続する構成を採用することができる。また、Ｓ−ＧＷ装置とＰ−ＧＷ装置を分離した構成を採用した場合には、ゲートウェイ装置１７５＿１〜１７５＿ＮをＳ−ＧＷ装置とＰ−ＧＷ装置との間に挿入する構成としてもよい。
【０１０１】
また、携帯端末１７０は、携帯電話でもよいし、スマートフォンでもよいし、ＰＣにデータ通信カードを搭載したものであってもよい。さらに、携帯端末１７０は、モバイル３Ｇ網やモバイル３．９Ｇ網と通信ができる携帯端末であればよい。
【０１０２】
上記の第１〜第３の実施形態の配信システムでは、コンテンツが動画である場合について説明した。なお、コンテンツが静止画、音声、オーディオ、ソフトウェア、アプリケーションである場合においても、同一の構成を採用することができる。
【０１０３】
上記実施形態に係る配信システムによると、以下の効果がもたらされる。
【０１０４】
第１に、携帯端末から送出されたパケットの接続先情報等を調べ、所定の条件を満たすパケットのみをモバイルネットワーク上のパケット転送装置に送出し、それ以外のパケットは外部ネットワークに送出するため、大容量コンテンツを大量に流すようになっても、モバイルネットワークの輻輳を発生し難くすることができる。
【０１０５】
第２に、コンテンツ配信サーバからではなく、携帯端末と近い距離にあるキャッシュサーバからコンテンツを配信するため、従来と比較して、コンテンツ配信の距離を短くすることができる。したがって、携帯端末にコンテンツが到着するまでの時間を短縮し、携帯端末で要求を出してからコンテンツを再生するまでの遅延時間を大幅に短縮することができ、エンドユーザが感じるＱｏＥ（Ｑｕａｌｉｔｙ  ｏｆ  Ｅｘｐｅｒｉｅｎｃｅ）を改善することができる。
【０１０６】
第３に、携帯端末の台数が増大したり、コンテンツが大容量となることにより、ネットワークを流れるパケットトラヒック量が大幅に増大しても、ネットワーク内のトラヒックの輻輳が発生しない。したがって、遅延やパケットロスが発生せず、携帯端末側で画像がフリーズしたり、音声が途切れるといった問題が発生しない。
【０１０７】
第４に、携帯端末の増加やトラヒック量の増加を見越して、コンテンツ配信サーバやパケット転送装置等を常時増強し続ける必要がなく、携帯端末を改造する必要もない。
【０１０８】
本発明の全開示（請求の範囲を含む）の枠内において、さらにその基本的技術思想に基づいて、実施形態の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【０１０９】
なお、上記実施形態の一部又は全部は、以下の付記として記載することができるものであるが、これらに限定されるものではない。
【０１１０】
（付記１）コンテンツ配信サーバから受信したパケットを転送する複数のパケット転送装置と、
複数の無線制御装置と、
前記複数の無線制御装置と前記複数のパケット転送装置のうちのいずれかとの間でパケットを中継するゲートウェイ装置とを、モバイルネットワークに備え、
前記ゲートウェイ装置は、前記複数の無線制御装置から出力されたパケットを解析し、解析したパケットが所定の条件を満たす場合には前記複数のパケット転送装置のいずれかに解析したパケットを送出し、それ以外の場合には前記モバイルネットワークの外に解析したパケットを送出することを特徴とする配信システム。
【０１１１】
（付記２）前記ゲートウェイ装置は、前記複数の無線制御装置から出力されたパケットのヘッダ部及びペイロード部の少なくともいずれかを解析し、接続要求先のＩＰアドレス若しくはＵＲＬ、送信元の携帯端末のＩＰアドレス、又は、接続要求内容が所定の条件を満たすか否かを判定することを特徴とする、付記１に記載の配信システム。
【０１１２】
（付記３）前記ゲートウェイ装置は、前記所定の条件を満たさないパケットをインターネットに送出することを特徴とする、付記１又は２に記載の配信システム。
【０１１３】
（付記４）前記複数のパケット転送装置又は前記複数の無線制御装置の少なくともいずれかにそれぞれ接続され、コンテンツを一時的に保持する複数のキャッシュサーバと、
前記複数のキャッシュサーバのそれぞれが保持しているコンテンツを表すコンテンツマップを蓄積するとともに、携帯端末からコンテンツの要求を受けると、該携帯端末の在圏情報に基づいて前記複数のキャッシュサーバの中から該携帯端末に近いキャッシュサーバを抽出するとともに、抽出したキャッシュサーバに対し、該携帯端末から要求されたコンテンツを送信するように指示する配信制御装置と、をさらに備えていることを特徴とする配信システム。
【０１１４】
（付記５）前記配信制御装置は、前記抽出したキャッシュサーバが前記携帯端末から要求されたコンテンツを保持していない場合には、他のキャッシュサーバからコンテンツを取得するように、前記抽出したキャッシュサーバに指示することを特徴とする、付記４に記載の配信システム。
【０１１５】
（付記６）前記配信制御装置は、前記抽出したキャッシュサーバ以外のキャッシュサーバも前記携帯端末から要求されたコンテンツを保持していない場合には、前記コンテンツ配信サーバからコンテンツを取得するように、前記抽出したキャッシュサーバに指示することを特徴とする、付記５に記載の配信システム。
【０１１６】
（付記７）前記配信制御装置は、前記抽出したキャッシュサーバへ前記携帯端末をリダイレクトさせることを特徴とする、付記４乃至６のいずれか一に記載の配信システム。
【０１１７】
（付記８）前記配信制御装置は、前記抽出したキャッシュサーバのアドレスを前記携帯端末に通知することを特徴とする、付記４乃至６のいずれか一に記載の配信システム。
【０１１８】
（付記９）前記配信制御装置は、前記複数のキャッシュサーバのうちの少なくもいずれか１つであるか、又は、前記複数のキャッシュサーバとは別個に設けられていることを特徴とする、付記４乃至８のいずれか一に記載の配信システム。
【０１１９】
（付記１０）前記複数のキャッシュサーバのうちの少なくともいずれか１つは、前記複数のパケット転送装置のうちの複数の装置に接続されていることを特徴とする、付記４乃至９のいずれか一に記載の配信システム。
【０１２０】
（付記１１）前記複数のキャッシュサーバは、それぞれ、保持するコンテンツのリストを所定の時間間隔で前記配信制御装置に通知することを特徴とする、付記４乃至１０のいずれか一に記載の配信システム。
【０１２１】
（付記１２）前記複数のキャッシュサーバは、互いに接続されていることを特徴とする、付記４乃至１１のいずれか一に記載の配信システム。
【０１２２】
（付記１３）前記パケット転送装置は、モバイルパケットネットワークのＳＧＳＮ（Ｓｅｒｖｉｎｇ  Ｇｅｎｅｒａｌ  ｐａｃｋｅｔ  ｒａｄｉｏ  ｓｅｒｖｉｃｅ  Ｓｕｐｐｏｒｔ  Ｎｏｄｅ）装置、ＧＧＳＮ（Ｇａｔｅｗａｙ  Ｇｅｎｅｒａｌ  ｐａｃｋｅｔ  ｒａｄｉｏ  ｓｅｒｖｉｃｅ  Ｓｕｐｐｏｒｔ  Ｎｏｄｅ）装置若しくはｘＧＳＮ（ｓｅｒｖｉｎｇ／ｇａｔｅｗａｙ  Ｇｅｎｅｒａｌ  ｐａｃｋｅｔ  ｒａｄｉｏ  ｓｅｒｖｉｃｅ  Ｓｕｐｐｏｒｔ  Ｎｏｄｅ）装置、又は、モバイルＬＴＥ（Ｌｏｎｇ  Ｔｅｒｍ  Ｅｖｏｌｕｔｉｏｎ）／ＥＰＣ（Ｅｖｏｌｖｅｄ  Ｐａｃｋｅｔ  Ｃｏｒｅ）ネットワークのＳ−ＧＷ（Ｓｅｒｖｉｎｇ  Ｇａｔｅｗａｙ）装置若しくはＰ−ＧＷ（Ｐａｃｋｅｔ  Ｄａｔａ  Ｎｅｔｗｏｒｋ（ＰＤＮ）  Ｇａｔｅｗａｙ）装置であることを特徴とする、付記１乃至１２のいずれか一に記載の配信システム。
【０１２３】
（付記１４）前記無線制御装置は、モバイルパケットネットワークの無線ネットワーク制御（ＲＮＣ：Ｒａｄｉｏ  Ｎｅｔｗｏｒｋ  Ｃｏｎｔｒｏｌｌｅｒ）装置、又は、モバイルＬＴＥ／ＥＰＣネットワークのｅＮｏｄｅＢ（ｅｖｏｌｖｅｄ  Ｎｏｄｅ  Ｂ）装置であることを特徴とする、付記１乃至１３のいずれか一に記載の配信システム。
【０１２４】
（付記１５）前記コンテンツは、動画、静止画、音声、オーディオ、ソフトウェア、アプリケーションのうちの少なくともいずれかを含むことを特徴とする、付記１乃至１４のいずれか一に記載の配信システム。
【０１２５】
（付記１６）前記携帯端末は、携帯電話、スマートフォン、通信カードを搭載したＰＣ、ゲーム機の少なくともいずれかを含むことを特徴とする、付記１乃至１５のいずれか一に記載の配信システム。
【０１２６】
（付記１７）モバイルネットワークに設けられた、複数の無線制御装置と、コンテンツ配信サーバから受信したパケットを転送する複数のパケット転送装置のうちのいずれかとの間でパケットを中継するとともに、該複数の無線制御装置から出力されたパケットを解析し、解析したパケットが所定の条件を満たす場合には該複数のパケット転送装置のいずれかに解析したパケットを送出し、それ以外の場合には該モバイルネットワークの外に解析したパケットを送出することを特徴とするゲートウェイ装置。
【０１２７】
（付記１８）前記複数の無線制御装置から出力されたパケットのヘッダ部及びペイロード部の少なくともいずれかを解析し、接続要求先のＩＰアドレス若しくはＵＲＬ、送信元の携帯端末のＩＰアドレス、又は、接続要求内容が所定の条件を満たすか否かを判定することを特徴とする、付記１７に記載のゲートウェイ装置。
【０１２８】
（付記１９）前記所定の条件を満たさないパケットをインターネットに送出することを特徴とする、付記１７又は１８に記載のゲートウェイ装置。
【０１２９】
（付記２０）モバイルネットワークに設けられた、複数の無線制御装置と、コンテンツ配信サーバから受信したパケットを転送する複数のパケット転送装置のうちのいずれかとの間でパケットを中継するゲートウェイ装置が、該複数の無線制御装置から出力されたパケットを解析する工程と、
解析したパケットが所定の条件を満たす場合には前記複数のパケット転送装置のいずれかに解析したパケットを送出し、それ以外の場合には前記モバイルネットワークの外に解析したパケットを送出する工程と、を含むことを特徴とする配信方法。
【０１３０】
（付記２１）前記解析工程において、前記複数の無線制御装置から出力されたパケットのヘッダ部及びペイロード部の少なくともいずれかを解析し、接続要求先のＩＰアドレス若しくはＵＲＬ、送信元の携帯端末のＩＰアドレス、又は、接続要求内容が所定の条件を満たすか否かを判定することを特徴とする、付記２０に記載の配信方法。
【０１３１】
（付記２２）前記送出工程において、前記所定の条件を満たさないパケットをインターネットに送出することを特徴とする、付記２０又は２１に記載の配信方法。
【０１３２】
（付記２３）モバイルネットワークに設けられた、複数の無線制御装置と、コンテンツ配信サーバから受信したパケットを転送する複数のパケット転送装置のうちのいずれかとの間でパケットを中継するゲートウェイ装置に設けられたコンピュータに、前記複数の無線制御装置から出力されたパケットを解析する処理と、
解析したパケットが所定の条件を満たす場合には前記複数のパケット転送装置のいずれかに解析したパケットを送出し、それ以外の場合には前記モバイルネットワークの外に解析したパケットを送出する処理と、を実行させることを特徴とするプログラム。
【０１３３】
（付記２４）前記解析処理において、前記複数の無線制御装置から出力されたパケットのヘッダ部及びペイロード部の少なくともいずれかを解析し、接続要求先のＩＰアドレス若しくはＵＲＬ、送信元の携帯端末のＩＰアドレス、又は、接続要求内容が所定の条件を満たすか否かを判定することを特徴とする、付記２３に記載のプログラム。
【０１３４】
（付記２５）前記送出処理において、前記所定の条件を満たさないパケットをインターネットに送出することを特徴とする、付記２３又は２４に記載のプログラム。
【符号の説明】
【０１３５】
９０＿１〜９０＿Ｎ    パケット転送装置
１００    コンテンツ
１１０＿１〜１１０＿Ｎ    キャッシュサーバ
１１１    制御信号送受信部
１１２    コンテンツ取得部
１１３    コンテンツ一時蓄積部
１１５    解析部
１１６    コンテンツリスト作成部
１２０    コンテンツ配信サーバ
１５０    モバイルパケットネットワーク
１６０    配信制御装置
１６１    制御信号送受信部
１６７    コンテンツマップ作成・蓄積部
１６８    コンテンツ取得指示部
１７０    携帯端末
１７５＿１〜１７５＿Ｎ    ゲートウェイ装置
１８０＿１〜１８０＿Ｍ、１８１＿１〜１８１＿Ｍ、１８２＿１〜１８２＿Ｍ、１８３＿１〜１８３＿Ｍ    基地局装置
１９０＿１〜１９０＿Ｎ    ｘＧＳＮ装置
１９１＿１〜１９１＿Ｌ、１９３＿１〜１９４＿Ｌ    無線制御装置
１９５＿１〜１９５＿Ｌ、１９７＿１〜１９７＿Ｌ    無線ネットワーク制御（ＲＮＣ）装置
２５０    モバイルＬＴＥ／ＥＰＣネットワーク
２６０＿１〜２６０＿Ｍ、２６１＿１〜２６１＿Ｍ、２６２＿１〜２６２＿Ｍ    ｅＮｏｄｅＢ装置
２９０＿１〜２９０＿Ｎ    Ｓ／Ｐ−ＧＷ装置
【図１】
2011152377.tif 000003
【図２】
2011152377.tif 000004
【図３】
2011152377.tif 000005
【図４】
2011152377.tif 000006
【図５】
2011152377.tif 000007
【手続補正書】
【提出日】平成24年11月30日(2012.11.30)
【手続補正１】
【補正対象書類名】特許請求の範囲
【補正対象項目名】全文
【補正方法】変更
【補正の内容】
【特許請求の範囲】
【請求項１】
コンテンツ配信サーバからコンテンツを含む第１のパケットを受信し、該第１のパケットを転送する複数のパケット転送装置と、
携帯端末から送出された前記コンテンツ配信サーバへの接続要求を受信し、該接続要求を含む第２のパケットとして転送する複数の無線制御装置と、
前記複数の無線制御装置と、前記複数のパケット転送装置のうちのいずれかとの間で前記第１のパケットおよび前記第２のパケットを中継するゲートウェイ装置とを、モバイルネットワークに備え、
前記ゲートウェイ装置は、前記複数の無線制御装置から出力された前記第２のパケットを解析し、前記第２のパケットが所定の条件を満たす場合には前記複数のパケット転送装置のいずれかに前記第２のパケットを送出し、それ以外の場合には前記モバイルネットワークの外に前記第２のパケットを送出する、配信システム。
【請求項２】
前記ゲートウェイ装置は、前記複数の無線制御装置から出力された前記第２のパケットのヘッダ部及びペイロード部の少なくともいずれかを解析し、接続要求先のＩＰ（Internet Protocol）アドレス若しくはＵＲＬ（Uniform Resource Locator）、送信元の携帯端末のＩＰアドレス、又は、接続要求内容が所定の条件を満たすか否かを判定する、請求項１に記載の配信システム。
【請求項３】
前記ゲートウェイ装置は、前記所定の条件を満たさない前記第２のパケットをインターネットに送出する、請求項１又は２に記載の配信システム。
【請求項４】
前記複数のパケット転送装置又は前記複数の無線制御装置の少なくともいずれかにそれぞれ接続され、コンテンツを一時的に保持する複数のキャッシュサーバと、
前記複数のキャッシュサーバのそれぞれが保持しているコンテンツを表すコンテンツマップを蓄積するとともに、携帯端末からコンテンツの要求を受けると、該携帯端末の在圏情報に基づいて前記複数のキャッシュサーバの中から該携帯端末に近いキャッシュサーバを抽出するとともに、抽出したキャッシュサーバに対し、該携帯端末から要求されたコンテンツを送信するように指示する配信制御装置と、をさらに備えている、請求項１ないし３のいずれか１項に記載の配信システム。
【請求項５】
前記パケット転送装置は、モバイルパケットネットワークのＳＧＳＮ（Serving General packet radio service Support Node）装置、ＧＧＳＮ（Gateway General packet radio service Support Node）装置若しくはＳＧＳＮ／ＧＧＳＮ装置、又は、モバイルＬＴＥ（Long Term Evolution）／ＥＰＣ（Evolved Packet Core）ネットワークのＳ−ＧＷ（Serving Gateway）装置若しくはＰ−ＧＷ（Packet Data Network(PDN) Gateway）装置である、請求項１ないし４のいずれか１項に記載の配信システム。
【請求項６】
前記複数の無線制御装置は、それぞれ、モバイルパケットネットワークの無線ネットワーク制御（ＲＮＣ：Radio Network Controller）装置、又は、モバイルＬＴＥ／ＥＰＣネットワークのｅＮｏｄｅＢ（evolved Node B）装置である、請求項５に記載の配信システム。
【請求項７】
モバイルネットワークに設けられた複数の無線制御装置であって携帯端末から送出された該コンテンツ配信サーバへの接続要求を受信して該接続要求を含む第２のパケットとして転送する複数の無線制御装置と、コンテンツ配信サーバからコンテンツを含む第１のパケットを受信して該第１のパケットを転送する複数のパケット転送装置のうちのいずれかとの間でパケットを中継するとともに、該複数の無線制御装置から出力された該第２のパケットを解析し、該第２のパケットが所定の条件を満たす場合には該複数のパケット転送装置のいずれかに該第２のパケットを送出し、それ以外の場合には該モバイルネットワークの外に該第２のパケットを送出する、ゲートウェイ装置。
【請求項８】
前記複数の無線制御装置から出力された前記第２のパケットのヘッダ部及びペイロード部の少なくともいずれかを解析し、接続要求先のＩＰアドレス若しくはＵＲＬ、送信元の携帯端末のＩＰアドレス、又は、接続要求内容が所定の条件を満たすか否かを判定する、請求項７に記載のゲートウェイ装置。
【請求項９】
前記所定の条件を満たさない前記第２のパケットをインターネットに送出する、請求項７または８に記載のゲートウェイ装置。
【請求項１０】
モバイルネットワークに設けられた複数の無線制御装置であって携帯端末から送出された該コンテンツ配信サーバへの接続要求を受信して該接続要求を含む第２のパケットとして転送する複数の無線制御装置と、コンテンツ配信サーバからコンテンツを含む第１のパケットを受信して該第１のパケットを転送する複数のパケット転送装置のうちのいずれかとの間でパケットを中継するゲートウェイ装置が、該複数の無線制御装置から出力された該第２のパケットを解析する工程と、
前記第２のパケットが所定の条件を満たす場合には前記複数のパケット転送装置のいずれかに前記第２のパケットを送出し、それ以外の場合には前記モバイルネットワークの外に前記第２のパケットを送出する工程と、を含む、配信方法。
【請求項１１】
前記解析工程において、前記複数の無線制御装置から出力された前記第２のパケットのヘッダ部及びペイロード部の少なくともいずれかを解析し、接続要求先のＩＰアドレス若しくはＵＲＬ、送信元の携帯端末のＩＰアドレス、又は、接続要求内容が所定の条件を満たすか否かを判定する、請求項１０に記載の配信方法。
【請求項１２】
前記送出工程において、前記所定の条件を満たさない前記第２のパケットをインターネットに送出する、請求項１０または１１に記載の配信方法。
【国際調査報告】
2011152377.tif 000008
2011152377.tif 000009
2011152377.tif 000010
2011152377.tif 000011